(57)【要約】【課題】乗客の見やすい位置で見ることができ、使い勝手の良い画像表示装置を提供すること。【解決手段】モニタ装置６をガイドレール３に沿って乗客の所望する位置に移動させた後、固定部材１０をガイドレール３に係合させてモニタ装置６を天井３に固定することにより、モニタ装置６を乗客の見やすい位置にセットする。また、ガイドレールに沿って正電極１１および負電極１２を設け、この正電極１１および負電極１２をそれぞれ固定部材１０に設けられた正電極１３および負電極１４に当接させることにより、バッテリーからモニタ装置６に電源を供給する。【選択図】　　　図１
2004123002.tif 000002
【特許請求の範囲】
【請求項１】
画像表示部を有する本体と、前記本体に設けられ、車両の天井に沿って形成されたガイドレールに固定する固定手段とを有し、前記固定手段が解除位置に移動したときに前記本体が前記ガイドレールに沿って移動可能にしたことを特徴とする画像表示装置。
【請求項２】
前記ガイドレールに沿って設けられた電源供給手段と、前記固定手段に設けられ、前記電源供給手段に通電する通電手段とを有することを特徴とする請求項１記載の画像表示装置。
【請求項３】
前記ガイドレールは、車両の全座席に対向する天井に沿って延在し、前記通電手段は、運転席に対向するガイドレールに設けられた電源供給手段から車両の停止時にのみ電源が供給されることを特徴とする請求項１または請求項２記載の画像表示装置。
【請求項４】
音声出力手段を備えたことを特徴とする請求項１乃至請求項３何れかに記載の画像表示装置。
【発明の詳細な説明】
【０００１】
【発明の属する技術分野】
本発明は、車室内に設けられたテレビモニタ等の画像表示装置に関する。
【０００２】
【従来の技術】
近時の車両にあっては、種々のオプションが設けられており、その中でテレビモニタ等の画像表示装置が設けられたものがある。このテレビモニタは、車両の天井の任意の位置に固定されており、図５に示すように、２列４座席の車両では、１列目の座席と２列目の座席の間の天井にテレビモニタ１００が設けられている（例えば、特許文献１参照）。
【０００３】
【特許文献１】
特開２００１−１０５９８８（請求項１、図３、図４）
【０００４】
【発明が解決しようとする課題】
しかしながら、このような従来のテレビモニタ等の画像表示装置にあっては、車両の天井に固定されていたため、使用者の見やすい位置に画像表示装置を移動させることができないという問題があった。
【０００５】
例えば、２列の座席を有する車両では、後部座席の乗客のみが画像表示装置を見たい場合には、その座席側に画像表示装置を移動させることができないため、その座席の乗客が画像表示装置を見難い。また、座席の多いワゴン車にあっては、前席側に画像表示装置が取付けられている場合には、最後部の乗客が画像表示装置を見難い。
【０００６】
本発明は、上記従来の問題を解決するもので、乗客の見やすい位置で見ることができ、使い勝手の良い画像表示装置を提供するものである。
【０００７】
【課題を解決するための手段】
本発明の画像表示装置は、画像表示部を有する本体と、前記本体に設けられ、車両の天井に沿って形成されたガイドレールに固定する固定手段とを有し、前記固定手段が解除位置に移動したときに前記本体が前記ガイドレールに沿って移動可能に構成される。
【０００８】
このような構成により、画像表示装置をガイドレールに沿って乗客の所望する位置に移動させた後、固定手段により画像表示装置を天井に固定することにより、画像表示装置を乗客の見やすい位置にセットすることができる。この結果、使い勝手の良い画像表示装置を提供することができる。
【０００９】
また、本発明の画像表示装置は、前記ガイドレールに沿って設けられた電源供給手段と、前記固定手段に設けられ、前記電源供給手段に通電する通電手段とを有するものから構成される。
【００１０】
このような構成により、画像表示手段をガイドレールに沿って移動させた場合であっても、画像表示装置に安定して電源を供給することができる。
【００１１】
また、本発明の画像表示装置は、前記ガイドレールは、車両の全座席に対向する天井に沿って延在し、前記通電手段は、運転席に対向するガイドレールに設けられた電源供給手段から車両の停止時にのみ電源が供給されるものから構成される。
【００１２】
このような構成により、運転手のみが乗車して画像表示手段を見る場合には、走行中に画像表示手段によって画像を表示すると運転に支障がある。この場合、車両の停車時のみに画像表示手段に電源を供給するようにすれば、運転に支障がなく、安全を確保することができる。
【００１３】
また、本発明の画像表示装置は、音声出力手段を備えたものから構成される。
【００１４】
このような構成により、例えば、車両の前方に設置されたピーカー等の音声出力手段から音声を出力する場合、後部座席の乗客には音声が届き難い。そこで、画像表示装置に音声出力手段を設ければ、画像表示装置を後部座席に移動させた場合に、画像表示装置から直に音声が出力されるので、音声を確実に聞くことができる。
【００１５】
【発明の実施の形態】
以下、本発明の実施の形態を図面に基づいて説明する。
図１乃至図４は本発明の画像表示装置の一実施の形態を示す図である。
【００１６】
まず、構成を説明する。図１において、自動車（車両）１の天井２にはガイドレール３が形成されており、このガイドレール３は運転席を含めた前列２席（以下、前席という）４から後列２席（以下、後席という）５の間に亘って延在している。
【００１７】
具体的には、図４に示すようにガイドレール３は前席４から後席５に対向して延在する第１レール部３ａと、直線部３ａの前方に設けられ、前席４の左右座席に対向して延在する第２レール部３ｂと、直線部３ａの後方に設けられ、後席５の左右座席に対向して延在する第３レール部３ｃとから構成されている。
【００１８】
このガイドレール３には図２に示すように画像表示装置としてモニタ装置６が取付けられており、このモニタ装置６は表示画面（画像表示部）７ａが設けられた本体７を備えている。なお、図２において、表示面は車両の後部方向に向けて設置されている。
【００１９】
この本体７の上部には外周面にネジが形成されたネジ部材８が取付けられており、本体７はこのネジ部材８に回動自在に取付けられている。また、ネジ部材８にはナット部材９が螺合しており、このナット部材９はネジ部材８の軸方向に沿って移動可能になっている。また、ネジ部材８の上部には固定部材１０が設けられており、この固定部材１０はガイドレール３に摺動自在に係合する係合部１０ａが設けられている。
【００２０】
本実施の形態では、このナット部材９を一方向に回転させると、図２に示すようにナット部材９が上方に移動して固定部材１０とナット部材９によってガイドレール３の縁を挟持して本体７を天井２に固定するようになっており、一方、ナット部材９を他方向に回転させると、図３に示すようにナット部材９が下方に移動して固定部材１０の天井２への係合を解除して、本体７をガイドレール３に沿って移動可能にしている。本実施の形態では、ネジ部材８、ナット部材９および固定部材１０が固定手段を構成している。
【００２１】
また、図４に示すように天井２の背面には正電極１１および負電極１２が設けられており、この正電極１１および負電極１２は、ガイドレール３に沿ってレール状に設けられ、それぞれ図示しない配線を介して自動車のバッテリーに接続されている。
【００２２】
また、係合部１０ａには正電極１１に対向して正電極１１に当接可能な正電極１３および負電極１２に対向して負電極１２に当接可能な負電極１４が取付けられており、正電極１１が正電極１３に当接するとともに負電極１２が負電極１４に当接したときにモニタ装置６に通電するようになっている。
【００２３】
本実施の形態では、正電極１１および負電極１２が電源供給手段を構成し、正電極１３および負電極１４が通電手段を構成している。
【００２４】
また、ネジ部材８の外周部にはスリットの入ったゴムパッキン１５が取付けられており、このゴムパッキン１５はネジ部材８とガイドレール３の間に介装されることにより、ネジ部材８がガイドレール３に沿って移動するときに、ネジ部材８が滑らかに移動するとともにネジ部材８とガイドレール３が摩耗したり、ほこりが侵入したりするのを防止するようにしている。
【００２５】
また、本体７には仮想線で示すように受信機１６が内蔵されており、この受信機１６は自動車のフロントパネルに取付けられたテレビチューナー、ＤＶＤプレーヤー、ＣＤプレーヤー等からのビデオ信号および音声信号を無線で受信するようになっている。そして、表示画面７ａにはテレビチューナー、ＤＶＤプレーヤー、ＣＤプレーヤー等からの映像が再生される。
【００２６】
また、本体７にはスピーカ（音声出力手段）１７が設けられており、この音声信号を再生して出力するようになっている。
【００２７】
このような構成を有する本実施の形態では、モニタ装置６を移動させるには、ナット部材９を他方向に回転させてナット部材９を下方に移動させ、固定部材１０の天井２への係合を解除する。この状態で本体７を上方に移動させることにより、係合部１０ａをガイドレール３から離隔させてガイドレール３に対してフリーな状態にする（図３参照）。
【００２８】
そして、本体７をガイドレール３に沿って乗客の見やすい位置に移動させた後、このナット部材９を一方向に回転させると、図２に示すようにナット部材９が上方に移動して固定部材１０とナット部材９によってガイドレール３の縁を挟持することにより、本体７が天井２に固定される。このとき、係合部１０ａに設けられた正電極１１が正電極１３に当接するとともに、負電極１２が負電極１４に当接し、バッテリーから正電極１１、正電極１３および正電極１２、負電極１４を介してモニタ装置６に電源が供給される。
【００２９】
そして、テレビチューナー、ＤＶＤプレーヤー、ＣＤプレーヤー等からのビデオ信号および音声信号を受信機１６で受信することにより、表示画面７ａに映像を再生するとともにスピーカ１７から音声を出力するようになっている。
【００３０】
このように本実施の形態では、モニタ装置６をガイドレール３に沿って乗客の所望する位置に移動させた後、固定部材１０をガイドレール３に係合させてモニタ装置６を天井３に固定することにより、モニタ装置６を乗客の見やすい位置にセットすることができる。この結果、使い勝手の良いモニタ装置６を提供することができる。
【００３１】
また、ガイドレールに沿って正電極１１および負電極１２を設け、この正電極１１および負電極１２をそれぞれ固定部材１０に設けられた正電極１３および負電極１４に当接させることにより、バッテリーからモニタ装置６に電源を供給することができるため、モニタ装置６をガイドレール３に沿って移動させた場合であっても、モニタ装置３に安定して電源を供給することができる。
【００３２】
また、スピーカ１７を設けたため、音声を確実に聞くことができる。例えば、車両のフロントパネルにスピーカを設置した場合には、後部座席の乗客には音声が届き難い。そこで、モニタ装置６にスピーカ１７を設ければ、モニタ装置６を後部座席側に移動させた場合に、モニタ装置６から直に音声が出力されるので、音声を確実に聞くことができる。
【００３３】
なお、本実施の形態では、テレビチューナー、ＤＶＤプレーヤー、ＣＤプレーヤー等からのビデオ信号を無線によって受信機１６で受信するようにしているが、これに限らず、ビデオ信号を伝達する信号線を正電極１１および負電極１２に隣接して設けるとともに、固定部材１０の係合部１０ａにこの信号線に当接し、ビデオ信号を受信する電極を設けても良い。
【００３４】
また、運転席に対向する天井２にモニタ装置６が移動したときにモニタ装置６に供給される電源を工夫しても良い。具体的には、図４に運転席に対向する矢印ａで示す領域の正電極１１および負電極１２を他のガイドレール３に沿って設けられた正電極１１および負電極１２に対して分離して独立電極とし、この独立電極には車両の停止時にのみ電源を供給する。
【００３５】
このようにすれば、モニタ装置６は運転手の位置で画像が表示されず、車両の停止時にのみモニタ装置６に電源を供給して画像を表示することができる。
【００３６】
なお、本実施の形態では、モニタ装置６が１つ設けられているが、このモニタ装置６は２つ以上設けられていても良い。
【００３７】
【発明の効果】
本発明によれば、画像表示装置を乗客の見やすい位置にセットすることができ、使い勝手の良い画像表示装置を提供することができる。
【図面の簡単な説明】
【図１】本発明の第１の実施の形態の画像表示装置が設けられた自動車の概略図
【図２】本発明の第１の実施の形態の画像表示装置がガイドレールに固定された状態を示す図
【図３】本発明の第１の実施の形態の画像表示装置がガイドレールに沿って移動可能な状態を示す図
【図４】本発明の第１の実施の形態の画像表示装置が取付けられたガイドレールおよび電極の構成図
【図５】従来の画像表示装置が設けられた自動車の概略図
【符号の説明】
１　　自動車（車両）
２　　天井
３　　ガイドレール
６　　モニタ装置（画像表示装置）
７　　本体
７ａ　　表示画面（画像表示部）
８　　ネジ部（固定手段）
９　　ナット部材（固定手段）
１０　　係合部材（固定手段）
１１　　正電極（電源供給手段）
１２　　負電極（電源供給手段）
１３　　正電極（通電手段）
１４　　負電極（通電手段）
１７　　スピーカ
【図１】
2004123002.tif 000003
【図２】
2004123002.tif 000004
【図３】
2004123002.tif 000005
【図４】
2004123002.tif 000006
【図５】
2004123002.tif 000007